(57)【特許請求の範囲】
【請求項１】
平角線をエッジワイズに巻回した巻線を円環状の継ぎ目のない一体物よりなるコアに装着したコイル部品であって、
前記巻線の一端部には第１引出端子が連続して一体的に形成されると共に、前記巻線の他端部には第２引出端子が連続して一体的に形成され、
前記第１引出端子及び前記第２引出端子は、先端が、前記コアから前記コアの内径よりも離れた領域まで引き出されており、
前記第１引出端子は、前記平角線の一方の端部側から一部をエッジワイズに前記コアに巻いたのち、巻かれていない残りの一部をエッジワイズに前記コアに巻きながら、エッジワイズに巻いた一方の端部を伸ばすことにより形成され、
前記第２引出端子は、前記平角線の他方の端部を巻かずに残すことにより形成された
ことを特徴とするコイル部品。
【請求項２】
円環状の継ぎ目のない一体物よりなるコアに、平角線をエッジワイズに巻回した巻線を装着したコイル部品の製造方法であって、
前記コアに前記平角線を一方の端部からエッジワイズに巻いたのち、巻いていない残りの一部をエッジワイズに前記コアに巻きながら、エッジワイズに巻いた一方の端部を伸ばすことにより、前記巻線と、前記巻線の一端部に第１引出端子を連続して一体的に形成すると共に、前記平角線の他方の端部を巻かずに残すことにより、前記巻線の他端部に第２引出端子を連続して一体的に形成することを特徴とするコイル部品の製造方法。
【発明の詳細な説明】
【技術分野】
【０００１】
本発明は、コイル部品及びその製造方法に関し、特に、平角線を巻回した巻線を円環状のコアに装着したコイル部品及びその製造方法に関する。
【背景技術】
【０００２】
従来より、平角線を巻回した巻線を円環状のコアに装着したコイル部品が知られている。このコイル部品は、例えば、一体的に円環状に形成したコアに、平角線を巻き付けることにより形成される（例えば、特許文献１参照）。
【先行技術文献】
【特許文献】
【０００３】
【特許文献１】特開２０００−１００６４３号公報
【発明の概要】
【発明が解決しようとする課題】
【０００４】
しかしながら、円環状のコアに平角線を巻き付ける場合には、巻線の端部をコアの内径よりも長く引き出した状態で巻き付けることができないので、巻線の端部に、引出端子を中継しなければならなかった。そのため、接触抵抗が大きくなり、特性が低下してしまうという問題があった。
【０００５】
本発明は、このような問題に基づきなされたものであり、特性を向上させることができるコイル部品及びその製造方法を提供することを目的とする。
【課題を解決するための手段】
【０００６】
本発明のコイル部品は、平角線を巻回した巻線を円環状の継ぎ目のない一体物よりなるコアに装着したものであって、巻線の一端部には第１引出端子が連続して一体的に形成されると共に、巻線の他端部には第２引出端子が連続して一体的に形成され、第１引出端子及び第２引出端子は、先端が、コアからコアの内径よりも離れた領域まで引き出されているものである。
【０００７】
本発明のコイル部品の製造方法は、円環状の継ぎ目のない一体物よりなるコアに、平角線を巻回した巻線を装着したコイル部品を製造するものであって、コアに平角線を一方の端部から巻いたのち、巻いていない残りの一部をコアに巻きながら、巻いた一方の端部を伸ばすことにより、巻線と、巻線の一端部に第１引出端子を連続して一体的に形成すると共に、平角線の他方の端部を巻かずに残すことにより、巻線の他端部に第２引出端子を連続して一体的に形成するものである。
【発明の効果】
【０００８】
本発明のコイル部品によれば、巻線に連続して一体的に形成した第１引出端子及び第２引出端子の先端を、コアからコアの内径よりも離れた領域まで引き出すようにしたので、第１引出端子及び第２引出端子を中継接続する必要がなく、接触抵抗を小さくすることができる。よって、特性を向上させることができる。
【０００９】
また、本発明のコイル部品の製造方法によれば、コアに平角線を一方の端部から巻いたのち、巻いていない残りの一部をコアに巻きながら、巻いた一方の端部を伸ばすことにより、巻線と、巻線の一端部に第１引出端子とを連続して一体的に形成するようにしたので、本発明のコイル部品を容易に製造することができる。
【図面の簡単な説明】
【００１０】
【図１】本発明の一実施の形態に係るコイル部品の構成を表す図である。
【図２】図１に示したコイル部品のＩ−Ｉ線に沿った断面図である。
【図３】図１に示したコイル部品の製造工程を示す断面図である。
【図４】図３に続く製造工程を示す断面図である。
【図５】図４に示した製造工程を示す他の断面図である。
【発明を実施するための形態】
【００１１】
以下、本発明の実施の形態について図面を参照して詳細に説明する。
【００１２】
図１は、本発明の一実施の形態に係るコイル部品１０の構成を表すものであり、図２は、図１に示したＩ−Ｉ線に沿った断面構造を表すものである。このコイル部品１０は、例えば、コア１１と、ボビン１２と、巻線１３とを備えている。
【００１３】
コア１１は、円環状の継ぎ目のない一体物よりなり、例えば、フェライト等の磁性体材料により構成されている。コア１１の断面形状は、例えば、多角形でも、円形でも、楕円形でもよい。ボビン１２は、コア１１と巻線１３との絶縁性を高めるためのものであり、例えば、中空の円環状とされており、中空部にコア１１を収納し、コア１１を覆うように配設されている。ボビン１２は、例えば合成樹脂により構成されている。なお、ボビン１２は、備えていなくてもよい。また、ボビン１２に代えて絶縁紙をコア１１に巻いてもよい。
【００１４】
巻線１３は、例えば、銅やアルミニウム等よりなる導線を絶縁被膜により被覆した平角線をエッジワイズに螺旋状に巻回することにより構成されている。巻線１３は、コア１１に対して１個配設するようにしてもよく、また、複数個配設するようにしてもよい。なお、図１では３個配設した場合を示している。巻線１３の一端部には第１引出端子１４が連続して一体的に形成され、巻線１３の他端部には第２引出端子１５が連続して一体的に形成されている。第１引出端子１４及び第２引出端子１５は、先端が、コア１１から、コア１１の内径Ｌ１よりも離れた領域までそれぞれ引き出されている。なお、図２では、第１引出端子１４の先端がコア１１の内径Ｌ１よりもコア１１から離れた領域まで引き出されている状態を分かりやすく示すために、コア１１の断面部分と、第１引出端子１４と、第１引出端子１４と巻線１３との連続部分とを取り出して表している。
【００１５】
このように、このコイル部品１０では、第１引出端子１４及び第２引出端子１５を巻線１３と連続して一体的に形成し、かつ、コア１１からコア１１の内径Ｌ１よりも離れた領域まで引き出すことにより、第１引出端子１４及び第２引出端子１５を中継接続する必要をなくし、接触抵抗を低減することができるようになっている。第１引出端子１４及び第２引出端子１５を引き出す方向は任意であり、図１及び図２に示したのは一例である。
【００１６】
このコイル部品１０は、例えば、次のようにして製造することができる。図３から図５は各製造工程を表すものである。このコイル部品１０は、円環状の継ぎ目のない一体物よりなるコア１１に、平角線を巻回することにより製造する。
【００１７】
まず、例えば図３（Ａ）に示したように、コア１１にボビン１２を介して平角線を一方の端部から螺旋状に巻く。平角線を所定量巻いた後、例えば図３（Ｂ）に示したように、コア１１に巻いた平角線の一方の端部を直線状に伸ばしながら、巻いていない残りの一部をコア１１に巻く。次いで、例えば図４に示したように、平角線の一方の端部をコア１１からコア１１の内径Ｌ１よりも離れた領域まで引き出す。これにより、巻線１３と、巻線１３の一端部に第１引出端子１４とが連続して一体的に形成される。
【００１８】
また、例えば図５に示したように、平角線の他方の端部は、巻かずにそのまま残すことにより、巻線１３の他端部に第２引出端子１５を連続して一体的に形成する。その際、第２引出端子１５の先端がコア１１からコア１１の内径Ｌ１よりも離れた領域まで引き出されるように、平角線の他方の端部を残す。
【００１９】
このように本実施の形態によれば、巻線１３に連続して一体的に形成した第１引出端子１４及び第２引出端子１５の先端を、コア１１からコア１１の内径よりも離れた領域まで引き出すようにしたので、第１引出端子１４及び第２引出端子１５を中継接続する必要がなく、接触抵抗を小さくすることができる。よって、特性を向上させることができる。
【００２０】
また、コア１１に平角線を一方の端部から巻いたのち、巻いていない残りの一部をコア１１に巻きながら、巻いた一方の端部を伸ばすことにより、巻線１３と、巻線１３の一端部に第１引出端子１４とを連続して一体的に形成するようにしたので、第１引出端子１４の長さを自由に長くすることができ、本実施の形態に係るコイル部品１０を容易に製造することができる。
【００２１】
以上、実施の形態を挙げて本発明を説明したが、本発明は上記実施の形態に限定されるものではなく、種々変形可能である。例えば、コア１１は、例えば、薄帯コアを環状に巻くことにより、円環状に形成したものでもよい。
【００２２】
また、上記実施の形態では、コア１１と、ボビン１２と、巻線１３とを備える場合について、各構成要素についても具体的に説明したが、全ての構成要素を備えていなくてもよく、また、他の構成要素を備えていてもよい。
【産業上の利用可能性】
【００２３】
コイル部品に用いることができる。
【符号の説明】
【００２４】
１０…コイル部品、１１…コア、１２…ボビン、１３…巻線、１４…第１引出端子、１５…第２引出端子
【図１】
0005174107.tif 000002
【図２】
0005174107.tif 000003
【図３】
0005174107.tif 000004
【図４】
0005174107.tif 000005
【図５】
0005174107.tif 000006